(57)【要約】【課題】表示情報に対してユーザが指定した指定部分を、その表示情報が再表示されたときに、その表示情報から容易に把握できるようにすること。【解決手段】情報表示システムは、所定の表示面に情報を表示する表示部を備える。また、情報表示システムは、指示体による前記表示面に対する指示位置を検知する指示位置検知部を備える。また、情報表示システムは、前記検知された指示位置を前記表示面に表示された表示情報に対応付けて記憶する記憶部を備える。【選択図】図２
2018156339.tif 000002
【特許請求の範囲】
【請求項１】
所定の表示面に情報を表示する表示部と、
指示体による前記表示面に対する指示位置を検知する指示位置検知部と、
前記検知された指示位置を前記表示面に表示された表示情報に対応付けて記憶する記憶部と
を備えることを特徴とする情報表示システム。
【請求項２】
前記表示情報を複数の領域に分割する分割部をさらに備え、
前記記憶部は、前記検知された指示位置を前記複数の領域に対応付けて記憶する
ことを特徴とする請求項１に記載の情報表示システム。
【請求項３】
前記指示位置検知部によって検知された前記指示位置に基づいて、前記表示情報における指定部分を特定する指定部分特定部
をさらに備えることを特徴とする請求項２に記載の情報表示システム。
【請求項４】
前記指定部分特定部によって特定された前記指定部分の表示形態を、所定の表示形態に変更する表示形態変更部
をさらに備えることを特徴とする請求項３に記載の情報表示システム。
【請求項５】
前記所定の表示形態は、ユーザが任意に変更可能である
ことを特徴とする請求項４に記載の情報表示システム。
【請求項６】
前記指定部分特定部は、
前記領域の単位で、前記指定部分を特定する
ことを特徴とする請求項３から５のいずれか一項に記載の情報表示システム。
【請求項７】
前記指定部分特定部は、
前記指示体による指示頻度が所定の閾値以上の前記領域を、前記指定部分として特定する
ことを特徴とする請求項６に記載の情報表示システム。
【請求項８】
前記所定の閾値は、ユーザが任意に変更可能である
ことを特徴とする請求項７に記載の情報表示システム。
【請求項９】
前記指定部分特定部によって特定された前記指定部分を、前記表示情報と対応付けて保存する保存部
をさらに備えることを特徴とする請求項３から８のいずれか一項に記載の情報表示システム。
【請求項１０】
所定の表示面に情報を表示する表示部と、
指示体による前記表示面に対する指示位置を検知する指示位置検知部と、
前記検知された指示位置を前記表示面に表示された表示情報に対応付けて記憶する記憶部と
を備えることを特徴とする情報表示装置。
【請求項１１】
所定の表示面に情報を表示する表示工程と、
指示体による前記表示面に対する指示位置を検知する指示位置検知工程と、
前記検知された指示位置を前記表示面に表示された表示情報に対応付けて記憶する記憶工程と
を含むことを特徴とする制御方法。
【請求項１２】
コンピュータを、
所定の表示面に情報を表示する表示部、
指示体による前記表示面に対する指示位置を検知する指示位置検知部、および、
前記検知された指示位置を前記表示面に表示された表示情報に対応付けて記憶する記憶部
として機能させるためのプログラム。
【発明の詳細な説明】
【技術分野】
【０００１】
本発明は、情報表示システム、情報表示装置、制御方法、およびプログラムに関する。
【背景技術】
【０００２】
従来、所定の表示面（例えば、スクリーン、ホワイトボード、ディスプレイ等）に、映像（例えば、プレゼンテーション資料の映像）を表示させるとともに、指示体（例えば、レーザポインタ、ペン、指等）によってその表示面に対する指示位置を特定することができるようになされた、いわゆる電子黒板装置が知られている。
【０００３】
例えば、下記特許文献１には、ノートパソコンから入力された映像をプロジェクタによってスクリーンに投影するように構成された遠隔講義システムにおいて、レーザポインタから赤外光レーザビームおよび可視光レーザビームを同時に出射するように構成し、スクリーン上に投影された赤外光レーザビームのポインタマークを、ポインタキャプチャカメラで撮影することによって、そのポインタマークの位置を検出し、その位置の座標データを映像と同期を採って保管するようにした技術が開示されている。
【発明の概要】
【発明が解決しようとする課題】
【０００４】
しかしながら、従来の電子黒板装置では、表示情報に対してユーザ（講師、解説者等）が指定した指定部分を、その表示情報が再表示されたときに、その映像から容易に把握することができなかった。
【０００５】
本発明は、上述した従来技術の課題を解決するため、表示情報に対してユーザが指定した指定部分を、その表示情報が再表示されたときに、その表示情報から容易に把握できるようにすることを目的とする。
【課題を解決するための手段】
【０００６】
上述した課題を解決するために、本発明の情報表示システムは、所定の表示面に情報を表示する表示部と、指示体による前記表示面に対する指示位置を検知する指示位置検知部と、前記検知された指示位置を前記表示面に表示された表示情報に対応付けて記憶する記憶部とを備えることを特徴とする。
【発明の効果】
【０００７】
本発明によれば、表示情報に対してユーザが指定した指定部分を、その表示情報が再表示されたときに、その表示情報から容易に把握することができる。
【図面の簡単な説明】
【０００８】
【図１】本発明の一実施形態に係る情報表示システムの機能構成を示す図である。
【図２】本発明の一実施形態に係る電子黒板装置および情報処理装置の具体的な機能構成を示す図である。
【図３】本発明の一実施形態に係る情報表示システムによる処理手順を示すシーケンス図である。
【図４】本発明の一実施形態に係る情報表示システムによる表示情報の分割方法の一例を示す図である。
【図５】本発明の一実施形態に係る情報表示システムによる指示位置の検出方法の一例を示す図である。
【図６】本発明の一実施形態に係る情報表示システムによる指定部分の特定方法の一例を示す図である。
【図７】本発明の一実施形態に係る情報表示システムによる指定部分の表示形態の変更方法の一例を示す図である。
【発明を実施するための形態】
【０００９】
以下、図面を参照して、本発明の一実施形態について説明する。
【００１０】
（情報表示システム１０のシステム構成）
図１は、本発明の一実施形態に係る情報表示システム１０の機能構成を示す図である。図１に示すように、本実施形態の情報表示システム１０は、電子黒板装置１００、情報処理装置１１０、およびレーザポインタ１２０を備えて構成されている。
【００１１】
電子黒板装置１００は、本発明の「情報表示装置」の一例である。電子黒板装置１００は、映像を表示面に表示したり、表示面に対する入力を認識したりする装置である。図１に示すように、電子黒板装置１００は、制御部１０１、表示部１０２、赤外光カメラ１０３、記憶部１０４、および通信部１０５を備えている。制御部１０１は、電子黒板装置１００の全体を制御する。表示部１０２は、表示面に対して、情報処理装置１１０から入力された映像を表示する。表示部１０２としては、例えば、液晶パネル又はプラズマパネルなどのフラットパネルや、プロジェクタにより投影されるスクリーンやホワイトボード等が用いられる。赤外光カメラ１０３は、表示面を撮像方向として設置されており、表示面に照射された赤外レーザ光を認識する。本実施形態では、電子黒板装置１００には２つの赤外光カメラ１０３が設けられており、これにより、電子黒板装置１００は、三角測量法を用いて、表示面における赤外レーザ光の照射位置を検知することができる。記憶部１０４は、各種データを記憶する。通信部１０５は、情報処理装置１１０との無線または有線による通信を行うことにより、情報処理装置１１０との間で各種データを送受信する。
【００１２】
情報処理装置１１０は、電子黒板装置１００に表示させる情報を送信する装置である。図１に示すように、情報処理装置１１０は、制御部１１１、ディスプレイ１１２、ユーザ入力部１１３、通信部１１４、および記憶部１１５を備えている。制御部１１１は、情報処理装置１１０の全体を制御する。ディスプレイ１１２は、各種映像を表示する。ユーザ入力部１１３は、ユーザからの各種操作入力を受け付ける。ユーザ入力部１１３としては、例えば、タッチパネル、マウス、キーボード、操作パネル、リモコン等が用いられる。通信部１１４は、電子黒板装置１００との無線または有線による通信を行うことにより、電子黒板装置１００との間で各種データを送受信する。記憶部１１５は、各種データを記憶する。図１に示す例では、記憶部１１５には、表示対象とする映像の一例として、表示資料１２が記憶されている。このように構成された情報処理装置１１０は、例えば、ユーザ入力部１１３が、表示資料１２の再生指示を受け付けると、これに応じて、制御部１１１が、その表示資料１２を記憶部１１５から読み出して再生する。そして、制御部１１１が、表示資料１２の再生映像を、ディスプレイ１１２に表示させるとともに、通信部１１４を介して、電子黒板装置１００へ入力する。情報処理装置１１０としては、例えば、パーソナルコンピュータ、タブレット端末、スマートフォン、デジタルカメラ、ビデオカメラ、ＤＶＤプレーヤ等を用いることができる。また、情報処理装置１１０は、別の情報処理装置だけでなく、電子黒板装置１００に装着される情報処理装置も含まれる。
【００１３】
レーザポインタ１２０は、ユーザが所持および操作する装置であり、画像の表示面における任意の位置を、当該レーザポインタ１２０から出射されたレーザ光によって指し示すための装置である。図１に示すように、レーザポインタ１２０は、制御部１２１、操作ボタン１２２、赤外光出力部１２３、および可視光出力部１２４を備えている。制御部１２１は、レーザポインタ１２０の全体を制御する。操作ボタン１２２は、赤外光出力部１２３および可視光出力部１２４からの、レーザ光の出射のＯＮ／ＯＦＦを切り替える。赤外光出力部１２３は、赤外レーザ光を出射する。可視光出力部１２４は、可視レーザ光を出射する。赤外光出力部１２３および可視光出力部１２４としては、例えば、半導体レーザ装置が用いられる。なお、赤外レーザ光および可視レーザ光は、互いに略同一の位置を指し示すことができるように、互いに並行に出射される（図５参照）。赤外レーザ光は、赤外光カメラ１０３によって照射位置を検出するために照射されるものである。一方、可視レーザ光は、ユーザが照射位置を視認するために照射されるものである。
【００１４】
このように構成された情報表示システム１０は、２台の赤外光カメラ１０３によって、表示面上におけるレーザポインタ１２０による指示位置を検出し、その指示位置に基づいて、その表示面に表示された表示情報における指定部分を特定し、当該指定部分の表示形態を変更することができるように構成されている。以下、この点について、具体的に説明する。
【００１５】
（電子黒板装置１００および情報処理装置１１０の具体的な機能構成）
図２は、本発明の一実施形態に係る電子黒板装置１００および情報処理装置１１０の具体的な機能構成を示す図である。
【００１６】
（電子黒板装置１００の機能構成）
図２に示すように、電子黒板装置１００の制御部１０１は、映像受信部２０１、映像表示制御部２０２、指示位置検知部２０３、指示位置記憶制御部２０４、および指示位置送信部２０５を備えている。
【００１７】
映像受信部２０１は、情報処理装置１１０から送信された表示情報（情報処理装置１１０によって再生された映像の表示情報）を、通信部１０５を介して受信する。
【００１８】
映像表示制御部２０２は、映像受信部２０１によって受信された表示情報を、表示部１０２から、所定の表示面に表示させる。
【００１９】
指示位置検知部２０３は、表示情報が表示された所定の表示面に対する、レーザポインタ１２０による指示位置を検知する。具体的には、指示位置検知部２０３は、２台の赤外光カメラ１０３のうちの、一方の赤外光カメラ１０３によって撮像された撮像画像における赤外レーザ光の検出位置と、他方の赤外光カメラ１０３によって撮像された撮像画像における赤外レーザ光の検出位置とに基づいて、三角測量法を用いることにより、表示面上における実際の赤外レーザ光の照射位置を、レーザポインタ１２０による指示位置として検知することができる。
【００２０】
指示位置記憶制御部２０４は、指示位置検知部２０３によって検知された指示位置を示す指示位置情報を、現在表示されている表示情報と対応付けて、記憶部１０４に記憶させる。
【００２１】
指示位置送信部２０５は、記憶部１０４に記憶されている指示位置情報を、通信部１０５を介して情報処理装置１１０へ送信する。なお、本実施形態では、表示情報が切り替わったタイミングで、その表示情報に関する指示位置情報を情報処理装置１１０へ送信するようにしているが、指示位置情報の送信タイミングおよび送信単位はこれに限らない。
【００２２】
（情報処理装置１１０の機能構成）
一方、情報処理装置１１０の制御部１１１は、再生部２１１、映像送信部２１２、分割部２１３、指示位置受信部２１４、指定部分特定部２１５、表示形態変更部２１６、および、保存部２１７を備えている。
【００２３】
再生部２１１は、記憶部１１５に記憶されている映像（例えば、表示資料１２）を再生する。
【００２４】
映像送信部２１２は、再生部２１１によって再生された映像の表示情報を、通信部１１４を介して電子黒板装置１００へ送信する。
【００２５】
分割部２１３は、再生部２１１によって再生された映像の表示情報を、複数の領域に分割する。例えば、表示情報に対して複数のオブジェクト（例えば、図形、テキストボックス等）が予め定義されている場合、分割部２１３は、その表示情報を、オブジェクト単位で複数の領域に分割する。
【００２６】
指示位置受信部２１４は、電子黒板装置１００から送信された指示位置情報を、通信部１１４を介して受信する。
【００２７】
指定部分特定部２１５は、指示位置受信部２１４によって受信された指示位置情報に示されている指示位置に基づいて、再生部２１１によって再生された映像の表示情報における指定部分を特定する。特に、指定部分特定部２１５は、表示情報における指定部分を、分割部２１３によって分割された領域単位で特定する。具体的には、指定部分特定部２１５は、表示情報に含まれる複数の領域のうち、レーザポインタ１２０による指示頻度が所定の閾値以上の領域を、指定部分として特定する。なお、所定の閾値は、ユーザが任意に変更可能である。
【００２８】
ここで、指定部分特定部２１５は、例えば、レーザポインタ１２０による指示回数が多いほど、レーザポインタ１２０による指示頻度を高めるようにしてもよい。また、指定部分特定部２１５は、レーザポインタ１２０による指示時間が長いほど、レーザポインタ１２０による指示頻度を高めるようにしてもよい。また、指定部分特定部２１５は、レーザポインタ１２０による指示距離が長いほど、レーザポインタ１２０による指示頻度を高めるようにしてもよい。
【００２９】
表示形態変更部２１６は、再生部２１１によって再生された映像の表示情報に対し、指定部分特定部２１５によって特定された指定部分の表示形態を、所定の表示形態に変更する。ここで、指定部分特定部２１５は、指定部分を容易に識別できるように、指定部分の表示形態を変更することが好ましい。指定部分に適用する表示形態としては、例えば、背景色を変更する、文字色を変更する、点滅表示させる、文字の太さを変更する、文字サイズを変更する、下線，ハッチング，枠等を付与する、等が挙げられる。ここで、色の変更を伴う場合は、別の領域で使用されている色と同系色の色を使用しないようにしてもよい。なお、所定の表示形態は、ユーザが任意に変更可能である。
【００３０】
保存部２１７は、指定部分特定部２１５によって特定された指定部分を、再生部２１１によって再生された映像の表示情報と対応付けて保存する。例えば、保存部２１７は、表示形態変更部２１６によって指定部分の表示形態が変更された表示情報を含む映像を、当該表示形態の変更前の映像とは別ファイルとして保存する。これに限らず、例えば、保存部２１７は、指定部分特定部２１５によって特定された指定部分を示す座標データ等を、映像ファイルと対応付けて保存するようにしてもよい。
【００３１】
なお、図２に示した電子黒板装置１００の制御部１０１および情報処理装置１１０の制御部１１１の各機能は、電子黒板装置１００または情報処理装置１１０において、例えば、ＣＰＵ（コンピュータ）がプログラムを実行することにより実現される。このプログラムは、予め電子黒板装置１００または情報処理装置１１０に導入された状態で提供されてもよく、外部から提供されて電子黒板装置１００または情報処理装置１１０に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００３２】
（情報表示システム１０による処理手順）
図３は、本発明の一実施形態に係る情報表示システム１０による処理手順を示すシーケンス図である。ここでは、記憶部１１５に記憶されている表示資料１２を、表示対象の映像として表示する例について説明する。
【００３３】
まず、情報処理装置１１０において、再生部２１１が、記憶部１１５に記憶されている表示資料１２を再生する（ステップＳ３０１）。次に、分割部２１３が、ステップＳ３０１で再生された表示資料１２の表示情報を、複数の領域に分割する（ステップＳ３０２）。ここでは、分割部２１３は、表示資料１２に含まれる全ての表示情報を分割してもよく、表示資料１２に含まれる現在の表示情報のみを分割してもよい。次に、映像送信部２１２が、ステップＳ３０１で再生された映像の表示情報（現在の表示情報）を、通信部１１４を介して電子黒板装置１００へ送信する（ステップＳ３０３）。
【００３４】
電子黒板装置１００において、映像受信部２０１が、情報処理装置１１０から送信された表示情報を受信すると（ステップＳ３０４）、映像表示制御部２０２が、ステップＳ３０４で受信された表示情報を、表示部１０２から所定の表示面に表示させる（ステップＳ３０５）。その後、赤外光カメラ１０３が、表示面におけるレーザポインタ１２０からの照射光を検出すると（ステップＳ３０６）、指示位置検知部２０３が、所定の表示面に対する、レーザポインタ１２０による指示位置を検知する（ステップＳ３０７）。そして、指示位置記憶制御部２０４が、ステップＳ３０７で検知された指示位置を示す指示位置情報を、現在表示されている表示情報と対応付けて、記憶部１０４に記憶させる。
【００３５】
その後、指示位置送信部２０５が、表示情報が切り替えられたか否かを判断する（ステップＳ３０９）。ステップＳ３０９において、表示情報が切り替えられていないと判断された場合（ステップＳ３０９：Ｎｏ）、電子黒板装置１００は、ステップＳ３０６以降の処理を再度実行する。一方、ステップＳ３０９において、表示情報が切り替えられたと判断された場合（ステップＳ３０９：Ｙｅｓ）、指示位置送信部２０５が、記憶部１０４に記憶されている指示位置情報を、情報処理装置１１０へ送信する（ステップＳ３１０）。
【００３６】
情報処理装置１１０において、指示位置受信部２１４が、電子黒板装置１００から送信された指示位置情報を受信すると（ステップＳ３１１）、指定部分特定部２１５が、ステップＳ３１１で受信された指示位置情報に示されている指示位置に基づいて、直前に表示されていた表示情報における指定部分を特定する（ステップＳ３１２）。そして、指定部分特定部２１５は、ステップＳ３１２で特定された指定部分を示す情報を、直前に表示されていた表示情報と対応付けて、情報処理装置１１０が備えるメモリ等に一時的に記憶させておく（ステップＳ３１３）。
【００３７】
その後、制御部１１１が、表示資料１２の表示が終了したか否かを判断する（ステップＳ３１４）。ステップＳ３１４において、表示資料１２の表示が終了していないと判断された場合（ステップＳ３１４：Ｎｏ）、情報表示システム１０は、ステップＳ３０３の以降の処理を再度実行する。一方、ステップＳ３１４において、表示資料１２の表示が終了したと判断された場合（ステップＳ３１４：Ｙｅｓ）、表示形態変更部２１６が、ステップＳ３１３でメモリ等に一時的に記憶された情報に基づいて、表示資料１２に含まれる表示情報毎に、その表示情報の指定部分を特定し、特定された指定部分の表示形態を所定の表示形態に変更する（ステップＳ３１５）。その後、保存部２１７が、ステップＳ３１５で指定部分の表示形態が変更された表示情報を含む映像を、当該表示形態の変更前の映像とは別ファイルとして保存する（ステップＳ３１６）。そして、情報表示システム１０は、図３に示す一連の処理を終了する。
【００３８】
（表示情報の分割方法一例）
図４は、本発明の一実施形態に係る情報表示システム１０による表示情報の分割方法の一例を示す図である。図４（ａ）に示す表示情報４００は、表示資料１２に含まれる表示情報の一例である。図４（ｂ）は、この表示情報４００が、情報処理装置１１０の分割部２１３によって分割された例を示している。
【００３９】
例えば、分割部２１３は、所定のルールにしたがって、表示情報４００を分割する。例えば、図４（ｂ）に示す例では、分割部２１３によって、表示情報４００が、その表示情報４００に予め定義されているオブジェクト単位で、１０個の領域４０１〜４１０に分割されている。例えば、領域４０２〜４０４は、楕円形状を有する図形のオブジェクトである。また、領域４０５〜４０７は、矢印形状を有する図形のオブジェクトである。また、領域４０１，４０８〜４１０は、テキストボックスのオブジェクトである。なお、分割部２１３は、オブジェクト単位に限らず、例えば、図形単位、文字列単位等、その他の単位で表示情報を分割するようにしてもよい。これにより、オブジェクトが定義されていない表示情報であっても、複数の領域に分割することが可能となる。
【００４０】
（指示位置の検出方法の一例）
図５は、本発明の一実施形態に係る情報表示システム１０による指示位置の検出方法の一例を示す図である。図５では、所定の表示面に対し、図４に示した表示情報４００が表示されており、且つ、レーザポインタ１２０によってレーザ光が照射された例を示している。
【００４１】
図５に示すように、レーザポインタ１２０からは、赤外レーザ光と可視レーザ光とが、互いに並行に出射される。これにより、赤外レーザ光および可視レーザ光は、表示面上における略同一の位置に照射される。ユーザは、表示面上に照射された可視レーザ光を視認することはできるが、赤外レーザ光を視認することはできない。
【００４２】
表示面上に照射された赤外レーザ光は、２台の赤外光カメラ１０３によって検出される。２台の赤外光カメラ１０３は、それぞれ、所定の位置に、所定の撮像方向を向いて配置されている。このため、電子黒板装置１００の指示位置検知部２０３は、一方の赤外光カメラ１０３による赤外レーザ光の検出位置と、他方の赤外光カメラ１０３による赤外レーザ光の検出位置とに基づいて、三角測量法を用いることにより、表示面上における実際の赤外レーザ光の照射位置を検知することができる。
【００４３】
（指定部分の特定方法の一例）
図６は、本発明の一実施形態に係る情報表示システム１０による指定部分の特定方法の一例を示す図である。
【００４４】
図６（ａ）は、表示面上における、レーザポインタ１２０による指示位置の軌跡の一例を示している。図６（ａ）に示す例では、軌跡６０１と、軌跡６０２とが示されている。電子黒板装置１００において、これらの軌跡６０１，６０２は、レーザポインタ１２０による複数且つ連続的な照射位置の集合と認識される。すなわち、軌跡６０１，６０２上の各照射位置は、２台の赤外光カメラ１０３によって、所定の検出間隔（例えば、０．５秒間隔）で、順次検出される。そして、検出された照射位置毎に、指示位置検知部２０３によって、表示面上における実際の赤外レーザ光の照射位置が検知され、指示位置記憶制御部２０４によって、検知された指示位置を示す指示位置情報が、記憶部１０４に記憶されることとなる。
【００４５】
図６（ｂ）は、図６（ａ）に示した軌跡６０１，６０２と、図４（ｂ）に示した表示情報４００の領域４０１〜４１０との位置関係を示す図である。図６（ｂ）に示すように、軌跡６０１は、その一部が、領域４０２内に描かれている。一方、軌跡６０２は、その一部が、領域４１０内に描かれている。
【００４６】
ここで、軌跡６０１における領域４０２内に描かれている部分の長さは、比較的長い。すなわち、レーザポインタ１２０による領域４０２に対する指示頻度は、比較的高いといえる。一方、軌跡６０２における領域４１０内に描かれている部分の長さは、比較的短い。すなわち、レーザポインタ１２０による領域４１０に対する指示頻度は、比較的低いといえる。ここで、領域４０２に対する指示頻度が、所定の閾値を超えていると仮定する。また、領域４１０に対する指示頻度が、所定の閾値を超えていないと仮定する。この場合、情報処理装置１１０の指定部分特定部２１５は、領域４０２を指定部分であると特定し、領域４１０を指定部分ではないと特定する。
【００４７】
（指定部分の表示形態の変更方法の一例）
図７は、本発明の一実施形態に係る情報表示システム１０による指定部分の表示形態の変更方法の一例を示す図である。図６で説明したように、指定部分特定部２１５によって、表示情報４００の領域４０２が、指定部分であると特定された場合、表示形態変更部２１６は、表示情報４００に対し、指定部分であると特定された領域４０２に含まれるオブジェクトの表示形態を、所定の表示形態に変更する。例えば、図７に示す例では、表示形態変更部２１６により、表示情報４００の領域４０２に含まれるオブジェクト（楕円形状を有する「ＸＸＸ」と示されたオブジェクト）にハッチングが付与されている。これにより、ユーザは、この表示情報４００において、このオブジェクトが指定部分であると容易に把握することができる。
【００４８】
以上説明したように、本発明の一実施形態によれば、表示面に対するレーザポインタ１２０の指示位置に基づいて、表示面に表示された表示情報における指定部分を特定し、当該指定部分の表示形態を、所定の表示形態に変更することができる。このため、本発明の一実施形態によれば、表示情報に対してユーザが指定した指定部分を、その表示情報が再表示されたときに、その表示情報から容易に把握することができる。
【００４９】
以上、本発明の好ましい実施形態について詳述したが、本発明はこれらの実施形態に限定されるものではなく、特許請求の範囲に記載された本発明の要旨の範囲内において、種々の変形又は変更が可能である。
【００５０】
例えば、上記実施形態では、電子黒板装置１００の外部に、情報処理装置１１０が設けられているが、情報処理装置１１０は、電子黒板装置１００の内部に設けられていてもよい。すなわち、情報処理装置１１０の一部または全ての機能は、電子黒板装置１００に設けられていてもよい。
【００５１】
また、上記実施形態では、本発明を、表示部１０２によって表示情報を表示する電子黒板装置１００に適用した例を説明したが、本発明は、これ以外の表示装置（例えば、ディスプレイ等）によって表示情報を表示する電子黒板装置に適用することも可能である。
【００５２】
また、上記実施形態では、２台の赤外光カメラ１０３によって指示位置を検出するようにしているが、３台以上の赤外光カメラ１０３によって指示位置を検出するようにしてもよい。また、赤外光カメラ１０３の代わりに、可視光カメラを用いるようにしてもよい。この場合、レーザポインタ１２０は、可視レーザ光のみを出射するように構成してもよい。
【００５３】
また、上記実施形態では、本発明の「指示体」の一例として、レーザポインタ１２０を用いているが、これ以外の指示体（例えば、ペン、指等）を用いてもよい。この場合、指示位置の検知方法として、例えばタッチパネルのように、指示体の接触を検知する方法を用いてもよい。
【００５４】
また、上記実施形態では、表示情報における指定部分の表示形態を変更して、当該変更後の映像ファイルを別ファイルとして保存するようにしているが、これに限らない。例えば、映像ファイルに変更を加えずに、表示情報における指定部分を示す情報を、映像ファイルに対応付けて保存するようにしてもよい。そして、映像ファイルの表示情報を再表示するときに、その表示先の装置において、上記指定部分を示す情報に基づいて、その表示情報における指定部分を特定し、その指定部分の表示形態を変更するようにしてもよい。
【００５５】
また、上記実施形態では、表示情報を複数の領域に分割し、領域単位で指定部分を特定するようにしているが、これに限らない。例えば、表示情報を複数の領域に分割せずに、レーザポインタ１２０による指示頻度が高い領域を、指定部分として特定するようにしてもよい。
【符号の説明】
【００５６】
１０  情報表示システム
１００  電子黒板装置
１０１  制御部
１０２  表示部
１０３  赤外光カメラ
１０４  記憶部
１０５  通信部
１１０  情報処理装置
１１１  制御部
１１２  ディスプレイ
１１３  ユーザ入力部
１１４  通信部
１１５  記憶部
１２０  レーザポインタ（指示体）
２０１  映像受信部
２０２  映像表示制御部
２０３  指示位置検知部
２０４  指示位置記憶制御部
２０５  指示位置送信部
２１１  再生部
２１２  映像送信部
２１３  分割部
２１４  指示位置受信部
２１５  指定部分特定部
２１６  表示形態変更部
２１７  保存部
【先行技術文献】
【特許文献】
【００５７】
【特許文献１】特開２００５−２３４３６８号公報
【図１】
2018156339.tif 000003
【図２】
2018156339.tif 000004
【図３】
2018156339.tif 000005
【図４】
2018156339.tif 000006
【図５】
2018156339.tif 000007
【図６】
2018156339.tif 000008
【図７】
2018156339.tif 000009